(57)【特許請求の範囲】
【請求項１】
筐体と、
前記筐体内の前半部に配設された鍵盤部と、
前端部を有し、前記筐体の後半部の上部を構成すると共に、前記前端部が前記鍵盤部の後部の上方に位置する屋根板部と、
前記筐体内に配設され、少なくとも高音部を含む音を放音するスピーカと、
前記鍵盤部の後部上部と前記屋根板部の前記前端部との間の開口部を覆うように配設され、前記鍵盤部側の第１端部が鍵盤押さえとして機能すると共に、前記屋根板部側の第２端部が前記屋根板部の下面に固定され、さらに、前記屋根板部の下方の位置に、前記スピーカからの音を前方に放音するためのトーンホールが形成されたパネル部とを有し、
前記スピーカは、前記パネル部の前記トーンホールよりも後方に位置し、
前記パネル部の前記トーンホールは、奏者から見えない程度に、前記屋根板部の前記前端部から後方に奥まった位置に形成され、
前記パネル部は、その前記第２端部よりも低い段差を形成して前記屋根板部の下面との間に上下方向の間隙を形成する隙間形成部を有し、前記トーンホールは前記段差が形成された部分に形成され、前記間隙が、前記トーンホールから奏者側への放音経路となることを特徴とする電子鍵盤楽器。
【請求項２】
前記トーンホールの少なくとも一部は、前記隙間形成部に形成されていることを特徴とする請求項１記載の電子鍵盤楽器。
【請求項３】
前記屋根板部の前記前端部に対して回動自在に配設され、開蓋状態で前記屋根板部の上に裏向きに水平に位置する蓋体を有し、前記パネル部は、前記隙間形成部として水平部を有し、ベース部と該ベース部の前端部に取り付けられた係止部材とを有する譜面台装置が、そのベース部が開蓋状態の前記蓋体の裏面の上に載置されると共に、前記係止部材が前記間隙に挿入されて前記屋根板部の前記前端部に係止されることで、前記譜面台装置の後方への位置が規制されるように構成されたことを特徴とする請求項１または２記載の電子鍵盤楽器。
【発明の詳細な説明】
【技術分野】
【０００１】
本発明は、スピーカからの音を奏者側に放音する機構を有する電子鍵盤楽器に関する。
【背景技術】
【０００２】
従来、電子鍵盤楽器において、筐体に内蔵されたスピーカの音を誰に対してもよく聞こえるように放音するための孔（メイントーンホール）とは別に、主に奏者に対して良く聞こえるようにするための孔（サブトーンホール）を設けたものが知られている（下記特許文献１）。
【０００３】
この楽器では、メイントーンホールを筐体背面に設けると共に、サブトーンホールを、筐体の上面を構成する屋根板部に設けている。
【特許文献１】特許第３９１８８２５号公報
【発明の開示】
【発明が解決しようとする課題】
【０００４】
しかしながら、上記特許文献１の電子鍵盤楽器では、サブトーンホールが、完全に露出して奏者から見えるような位置に設けられている。そのため、外観の悪化や異物浸入を避けるために、サランネット等を設けたり、外観を高めるための外装加工が必要となったりする。また、屋根板自体の加工も必要となる。これらは、コストアップにも繋がる。
【０００５】
ところで、外観の問題は、意匠という範疇を超えて、凹凸が露出することにて安定性や耐久性に影響を与えることがある。
【０００６】
本発明は上記従来技術の問題を解決するためになされたものであり、その目的は、前方への放音機能を確保しつつ、トーンホールから異物が入りにくくすると共に、外観を損ねないようにすることができる電子鍵盤楽器を提供することにある。
【課題を解決するための手段】
【０００７】
上記目的を達成するために本発明の請求項１の電子鍵盤楽器は、筐体（１０）と、前記筐体内の前半部に配設された鍵盤部（ＫＢ）と、前端部（１２ａ）を有し、前記筐体の後半部の上部を構成すると共に、前記前端部が前記鍵盤部の後部（１４ｂ）の上方に位置する屋根板部（１２）と、前記筐体内に配設され、少なくとも高音部を含む音を放音するスピーカ（１７）と、前記鍵盤部の後部上部（Ｐ１）と前記屋根板部の前記前端部（１２ａ、Ｐ２）との間の開口部（ＯＰ）を覆うように配設され、前記鍵盤部側の第１端部（２１）が鍵盤押さえとして機能すると共に、前記屋根板部側の第２端部（２６）が前記屋根板部の下面（１２ｂ）に固定され、さらに、前記屋根板部の下方の位置に、前記スピーカからの音を前方に放音するためのトーンホール（２８）が形成されたパネル部（２０）とを有し、前記スピーカは、前記パネル部の前記トーンホールよりも後方に位置し、前記パネル部の前記トーンホールは、奏者から見えない程度に、前記屋根板部の前記前端部から後方に奥まった位置に形成され、前記パネル部は、その前記第２端部よりも低い段差を形成して前記屋根板部の下面との間に上下方向の間隙を形成する隙間形成部を有し、前記トーンホールは前記段差が形成された部分に形成され、前記間隙が、前記トーンホールから奏者側への放音経路となることを特徴とする。
【０００８】
好ましくは、前記トーンホールの少なくとも一部は、前記隙間形成部に形成されている（請求項２）。
【０００９】
好ましくは、前記屋根板部の前記前端部に対して回動自在に配設され、開蓋状態で前記屋根板部の上に裏向きに水平に位置する蓋体（４０）を有し、前記パネル部は、前記隙間形成部として水平部を有し、ベース部（５１）と該ベース部の前端部（５１ａ）に取り付けられた係止部材（５４）とを有する譜面台装置（５０）が、そのベース部が開蓋状態の前記蓋体の裏面（４３ａ、４５ａ）の上に載置されると共に、前記係止部材が前記間隙に挿入されて前記屋根板部の前記前端部に係止されることで、前記譜面台装置の後方への位置が規制されるように構成される（請求項３）。
【００１０】
なお、上記括弧内の符号は例示である。
【発明の効果】
【００１１】
本発明の請求項１によれば、前方への放音機能を確保しつつ、トーンホールから異物が入りにくくすると共に、外観を損ねないようにすることができる。
【００１２】
請求項２によれば、トーンホールを、奏者から見えない範囲で広く確保するのが容易となる。
【００１３】
請求項３によれば、パネル部と屋根板部の下面との間の放音用の間隙を、譜面台装置の位置規制に利用することができる。
【発明を実施するための最良の形態】
【００１４】
以下、本発明の実施の形態を図面を参照して説明する。
【００１５】
図１は、本発明の一実施の形態に係る電子鍵盤楽器の平面図である。図２は、図１のＡ−Ａ線に沿う電子鍵盤楽器の楽器本体部分の断面図である。図１では、後述する屋根板部１２及び蓋体４０を取り外した状態が示されている。図２では、後述する蓋体４０が開けられた状態（開蓋状態）が示されている。
【００１６】
この電子鍵盤楽器は、図２に示すように、楽器本体の外装部分を構成する筐体１０が、脚部によって支持されるが、脚部は必須でない。棚板１１が、筐体１０の下部を構成する。棚板１１の上において、筐体１０内の前半部には、鍵盤部ＫＢが配設されている。以降、奏者側（図２の左側）を前方とし、左右方向については、奏者からみた方向で呼称する。
【００１７】
図２に示すように、鍵盤部ＫＢは、それぞれ複数の白鍵１３と黒鍵１４とからなる。また、各白鍵１３、黒鍵１４の下方には、それぞれに対応するハンマ体ＨＭが配設される。各ハンマ体ＨＭは、対応する白鍵１３、黒鍵１４の押鍵に連動して揺動し、対応する鍵に慣性を付与する。
【００１８】
筐体１０内において、鍵盤部ＫＢ及びハンマ体ＨＭの後方に、いずれもスピーカであるツイータ１７（１７Ｌ、１７Ｒ）及びウーハ１６（１６Ｌ、１６Ｒ）が配設される。これらツイータ１７及びウーハ１６は、それぞれ左右１対配設される（図１参照）。ウーハ１６は下向きであるが、ツイータ１７は、ウーハ１６のほぼ上方に配設されて、斜め上方前方を向いている。
【００１９】
また、屋根板部１２が、金具等でなる屋根板保持部１５等を介して、棚板１１に対して固定されている。屋根板保持部１５は、左右方向中央に位置し（図１参照）、筐体１０の補強材としても機能する。この屋根板部１２が、筐体１０の後半部の上部を構成している。屋根板部１２の前端部１２ａは、鍵盤部ＫＢの後部（図２では、黒鍵１４の後部上部１４ｂが相当する）の上方に位置している。
【００２０】
図２に示すように、屋根板部１２の前端部１２ａには、蝶番４６を介して、蓋体４０が回動自在に取り付けられている。蓋体４０は、蓋主部４１と蓋前部４２とからなる。蓋主部４１は、水平板部４４と根本部４３と先端部４５とを有する。根本部４３が、屋根板部１２の前端部１２ａに、蝶番４６を介して連結されることで、蝶番４６を中心に先端部４５が回動自在になっている。
【００２１】
蓋体４０は、閉じられた状態（閉蓋状態）で鍵盤部ＫＢを上方から覆う（図示せず）。一方、開蓋状態で、屋根板部１２の上面後部に突設された受け部１８に先端部４５が当接することで、蓋体４０が裏向きとなり、且つ、水平板部４４が水平な状態となる。通常、この状態で演奏が行われる。
【００２２】
黒鍵１４の押下部１４ａの後部を含む鍵盤部ＫＢの後部と屋根板部１２との間には、開口部ＯＰが形成される。厳密には、介在物がないとした場合において、黒鍵１４の押下部１４ａの上部後端における頂部Ｐ１と屋根板部１２の前端下部の頂部Ｐ２との間が、開口部ＯＰとなって、奏者と筐体１０内部とが連通される。この開口部ＯＰを覆うように、目隠し板としても機能するパネル部２０が配設される。
【００２３】
図３（ａ）は、パネル部２０の斜視図であり、図１のＡ−Ａ線に沿う断面で切断したものを示す。図３（ｂ）は、開口部ＯＰ周辺の拡大断面図である。
【００２４】
パネル部２０は、例えば板金で構成され、プレス加工により一体に形成される。ただし、素材の種類は問わず、一体に形成されていなくてもよい。図３（ｂ）に示すように、パネル部２０は、配設状態において第１端部２１が鍵盤部ＫＢ側の端部となり、第２端部２６が屋根板部１２側の端部となる。第１端部２１は水平であり、第１端部２１の下面にはフェルト等の緩衝材３０が貼着されている。第１端部２１は、鍵盤部ＫＢの後部（黒鍵１４でいえば後部上部１４ｂ）に近接して、緩衝材３０を介して「鍵盤押さえ」の機能を果たす。
【００２５】
第１端部２１の前端から第１鉛直部２２が立ち上がり、第１鉛直部２２の上端から斜面部２３が、斜め後方上方に延びている。斜面部２３の上端（後端）から後方に水平部２４が延設され、水平部２４の後端と水平な第２端部２６の前端とが第２鉛直部２５で接続されている。従って、水平部２４は、第２端部２６に対して１段下がった段差を形成している。第２端部２６には、複数の取り付け穴２４が形成されている（図３（ａ）参照）。これらの取り付け穴２４を通じて、複数のネジ３１にて、下方から屋根板部１２の下面１２ｂに対して第２端部２６が固着されている（図３（ｂ）参照）。
【００２６】
図３（ａ）に示すように、水平部２４の前後方向中間部から第２鉛直部２５にかけて、左右方向に長い４つのトーンホール２８（２８Ａ〜２８Ｄ）が形成されている。トーンホール２８は、側面視「く」字状で、平面視では長方形である。トーンホール２８Ａ、２８Ｂは、左右方向における位置が、左側のツイータ１７Ｌに対応している（図１参照）。トーンホール２８Ａ、２８Ｂの間には接続部２７Ａが介在し、実質的に、トーンホール２８Ａ、２８Ｂを合わせた１つの長穴を接続部２７Ａで仕切り、接続部２７Ａで補強を図ったのと同じ構成となっている。
【００２７】
トーンホール２８Ｃ、２８Ｄについても同様で、左右方向における位置が、右側のツイータ１７Ｒに対応し（図１参照）、両者間に接続部２７Ｂが介在する。接続部２７（２７Ａ、２７Ｂ）の側面視形状は、水平部２４及び第２鉛直部２５と同じであり、水平部２４及び第２鉛直部２５の一部ともいえる。ツイータ１７及びウーハ１６は、トーンホール２８よりも後方に位置する（図１参照）。
【００２８】
図３（ｂ）に示すように、開口部ＯＰはパネル部２０によってほぼ閉塞される。しかし、水平部２４が第２端部２６に対して形成している段差により、屋根板部１２の下面１２ｂと水平部２４との間には、上下方向の間隙Ｓ１が形成される。そのため、トーンホール２８及び間隙Ｓ１を通じて、奏者側の外部と筐体１０の内部、特にツイータ１７との間に、放音経路が形成されることになる。従って、特にツイータ１７の位置からみて、トーンホール２８を通じて奏者の耳に真っ直ぐに近い経路が形成されるので、ツイータ１７からの音が奏者に対して良好に聞こえる。
【００２９】
ところで、パネル部２０によって、筐体１０の内部は見えないようになっているが、トーンホール２８も、奏者からは見えないような位置に設けられている。すなわち、まず、図３（ｂ）に示すように、トーンホール２８の前端２８ａは、屋根板部１２の前端（前端部１２ａの下部の頂部Ｐ２と同じ位置）よりも後方に奥まっている。つまり、トーンホール２８の前端２８ａの上側の頂部Ｐ３は、屋根板部１２の前端部１２ａの頂部Ｐ２から距離Ｄだけ後方に位置する。水平部２４の上面２４ａと頂部Ｐ２との上下方向の間隔をＨとする。間隔Ｈは、間隙Ｓ１の前側に開口した部分の上下幅に相当する。間隔Ｈと距離Ｄとの関係により、頂部Ｐ２及び頂部Ｐ３を結ぶ線と水平部２４とが成す角度θは、１５°以下となっている。これにより、一般の奏者の通常に演奏姿勢においては、頂部Ｐ３が屋根板部１２に隠れて見えない。
【００３０】
距離Ｄは、例えば４０ｍｍ、間隔Ｈは、例えば７ｍｍである。間隔Ｈが、放音経路確保に必要最小限の値で、且つトーンホール２８が距離Ｄ分だけ奥まっていることから、トーンホール２８から、埃等の異物が筐体１０の内部に入りにくい構造となっている。そのためトーンホール２８には、外観向上や異物浸入防止の観点でも、サランネット等を設ける必要があまりない。もちろん、サランネット等を設けてもよい。なお、パネル部２０の打ち抜き加工時等において、トーンホール２８を網状に形成することで、サランネットを設けることなく異物浸入防止効果を高めてもよい。
【００３１】
放音経路を確保しつつ、トーンホール２８が奏者から見えないようにする観点からは、距離Ｄを１０〜６０ｍｍ、間隔Ｈを３ｍｍ〜１０ｍｍの各範囲とし、なおかつ、角度θは、１５°以下となるように両者の値を組み合わせればよい。
【００３２】
パネル部２０において、単にトーンホール２８を設けたのでは剛性が低くなる。しかし、水平部２４、第２鉛直部２５及び第２端部２６にかけて形成される段差により、前後方向の軸を中心とした断面係数が高くなり、上下方向の剛性が高まっている。
【００３３】
図４は、開蓋状態における楽器本体の後半部上部を示す断面図である。本電子鍵盤楽器には、別体で構成される譜面台装置５０が付属している。次に説明するように、間隙Ｓ１は、譜面台装置５０の位置規制にも利用される。
【００３４】
図４に示すように、譜面台装置５０は、ベース部５１を有し、ベース部５１の上面に譜面受け部５１が設けられると共に、譜面受け部５１の後方に譜面板５３が着脱自在に立設されている。また、ベース部５１の前端部５１ａには、係止部材５４が着脱自在に取り付けられている。係止部材５４は、金属等のフック型の部品であり、前端部５１ａから下方に延設され、さらにその下端から後方にほぼ水平に先端部５４ａが延設されている。係止部材５４は、例えば、ベース部５１の左右両端部の２カ所に設けられる。
【００３５】
譜面台装置５０を用いる場合、開蓋状態の蓋体４０の蓋主部４１において、蓋主部４１の裏面に相当するそれぞれ平坦な根本部４３の裏面４３ａ及び先端部４５の裏面４５ａの上に、ベース部５１が載置される。その際、係止部材５４の先端部５４ａを間隙Ｓ１に前方から挿入する。そして、譜面台装置５０全体を後方にずらして、係止部材５４が、屋根板部１２の前端部１２ａ（具体的には蝶番４６）に当接した状態で係止される。この状態で、譜面台装置５０の後方への位置が規制される。なお、ベース部５１が載置される面は、蓋主部４１の裏側の平坦な面であればよく、例えば、水平板部４４の裏面を根本部４３の裏面４３ａ及び先端部４５の裏面４５ａよりも上方に突出させるか面一にして、水平板部４４の裏面を採用してもよい。
【００３６】
本実施の形態によれば、開口部ＯＰを覆うように配設されたパネル部２０において、奏者から見えない程度に、屋根板部１２の前端部１２ａから後方に奥まった位置にトーンホール２８が形成される。これにより、ツイータ１７からの音の前方への放音機能を確保しつつ外観を損ねないようにすることができる。しかも、トーンホール２８は、屋根板部１２の下方に位置し、間隔Ｈ（図３（ｂ）参照）が、放音経路確保に必要最小限な値であるので、トーンホール２８から異物等が入りにくい。よって、サランネットや、外観向上のための高コストな加工が不要で、コスト低下に寄与する。
【００３７】
また、板金に対するプレス加工により、トーンホール２８を含めて段差部も一気に成形できるので、安価に製造することができる。
【００３８】
また、トーンホール２８の一部は、屋根板部１２との間に間隙Ｓ１を形成する水平部２４に形成されたので、第２鉛直部２５のような鉛直方向の延設部分のみに形成される構成に比し、トーンホール２８を、奏者から見えない範囲で広く確保するのが容易となる。しかも、水平部２４は水平であるので、屋根板部１２との間の小さい間隙Ｓ１にて十分な放音経路を確保しやすい。
【００３９】
さらに、譜面台装置５０の係止部材５４の先端部５４ａを間隙Ｓ１に前方から係止することで、譜面台装置５０の後方への位置が規制されるので、放音用である間隙Ｓ１を譜面台装置５０の位置規制にも兼用することができる。
【００４０】
なお、トーンホール２８の形状や数は、例示したものに限られない。また、最低限の放音経路を確保する観点に限れば、トーンホール２８を、水平部２４または第２鉛直部２５のいずれかのみに形成してもよい。また、トーンホール２８を、奏者から見えない範囲で広く確保する観点に限れば、トーンホール２８を、水平部２４のみに設けてもよい。
【００４１】
なお、奏者から見えないようにトーンホール２８を設けると共に、放音経路を確保する観点に限れば、水平部２４と第２端部２６との段差のような箇所は必須でない。例えば、第２端部２６の前端に連接され、該前端から斜め下方前方に傾斜して延設される傾斜部を設け、この傾斜部にトーンホール２８を設けてもよい。
【図面の簡単な説明】
【００４２】
【図１】本発明の一実施の形態に係る電子鍵盤楽器の平面図である。
【図２】図１のＡ−Ａ線に沿う電子鍵盤楽器の楽器本体部分の断面図である。
【図３】パネル部の斜視図（図（ａ））、開口部周辺の拡大断面図（図（ｂ））である。
【図４】開蓋状態における楽器本体の後半部上部を示す断面図である。
【符号の説明】
【００４３】
１０  筐体、  １２  屋根板部、  １２ａ  前端部、  １２ｂ  下面、  １４ｂ  後部（後部上部）、  １７  ツイータ（スピーカ）、  ２０  パネル部、  ２１  第１端部、  ２４  水平部、  ２６  第２端部、  ２８  トーンホール、  ４０  蓋体、  ５４  係止部材、  ４３ａ  裏面、  ４５ａ  裏面、  ５０  譜面台装置、  ５１  ベース部、  ５１ａ  前端部、  ＯＰ  開口部、  ＫＢ  鍵盤部、  Ｓ１  間隙、  Ｐ１、Ｐ２  頂部
【図１】
0005320783.tif 000002
【図２】
0005320783.tif 000003
【図３】
0005320783.tif 000004
【図４】
0005320783.tif 000005